(57)【特許請求の範囲】
【請求項１】
インスタント写真用の複数枚のフイルムが枠体内に積層されるとともに、積層されたフイルムを遮光する遮光板を備えたフイルムパックが装填され、内蔵電池からのパワーにより、該遮光板を先ず排出し、以後、撮影操作に応じて、積層されたフイルムのうちの最上層のフイルムを露光し、露光されたフイルムを現像しながら排出するカメラにおいて、
装填されたフイルムパックの遮光板又はフイルムの排出動作時の負荷に基づいて、今回の排出動作により排出されたものが遮光板であったか否かを検出する遮光板検出部と、
前記遮光板検出部による検出結果に基づいて制御を行なう制御部と、
装填されているフイルムパック内の残存フイルム枚数を表示する表示部とを備え、
前記制御部が、フイルムパック交換操作前のフイルムパック内のフイルム残存枚数を記憶しておく記憶部と、フイルムパック交換操作があった場合に、前記遮光板検出部により今回排出されたものが遮光板であった旨検出された場合には、前記表示部に、遮光板付のフィルムパック内に積層されたフィルム枚数に相当する所定数を表示させ、前記遮光板検出部により今回排出されたものが遮光板ではない旨検出された場合には、前記表示部に、前記記憶部に記憶された残存枚数から１枚を減じた数を表示させる表示制御部とを備えたものであることを特徴とするカメラ。
【請求項２】
このカメラは、内蔵フイルムに関するフイルム情報が記録されたフイルムパックが装填されるカメラであって、
フイルムパックに記録されたフイルム情報を読み取るセンサを備え、前記制御部が、前記遮光板検出部により遮光板が検出されたことを受けて前記センサにフイルム情報を読み取らせるものであることを特徴とする請求項１記載のカメラ。
【請求項３】
前記制御部は、前記遮光板検出部により遮光板が検出されたことを受けて、このカメラの、少なくとも一部の要素について初期化を行なうものであることを特徴とする請求項１記載のカメラ。
【発明の詳細な説明】
技術分野
本発明は、インスタント写真用のフイルムが積層されたフイルムパックが装填されるカメラに関する。
背景技術
従来より、開口を有する枠体内にインスタント写真用のフイルムが複数枚積層され、その枠体の開口が１枚の遮光板で塞がれた構造を有するフイルムパックが装填されるカメラが知られている。このようなカメラの中には、装填されているフイルムパック内の残存フイルム枚数を表示する表示部を備え、新規のフイルムパックが装填されると、その表示を、新規のフイルムパックに収納されたフイルム枚数に変更する等の初期化処理を行なうものがある。フイルムパックの遮光板は、積層されたフイルムを外部の光から保護するために十分な遮光性が求められることから、十分な厚みを有するプラスチック部材等からなる。フイルムパック交換が行なわれ、その後の、例えば裏蓋が閉じられた時点で、新規のフイルムパック内に積層されたフイルム枚数に相当する所定数（例えば１０枚）が表示部に表示され、内蔵電池からのパワーの供給を受けて、先ず遮光板が排出される。以後、撮影操作に応じて、積層されたフイルムのうちの最上層のフイルムが露光され、露光されたフイルムの一部に予め蓄えられている現像剤がそのフイルム内にまんべんなく拡散され現像されながら排出され、これに伴い残存フイルム枚数が１だけ減算されて表示部に表示される。
上述したカメラでは、フイルムパック交換が行なわれて裏蓋が閉じられると、一律に、新規のフイルムパックが装填されたと判定されて初期化処理が行なわれる。例えば、表示部には新規のフイルムパック内に収納されているフイルム枚数が表示され、撮影者は、表示部に表示されたフイルム枚数を見ることで撮影可能枚数を確認する。
ここで、撮影者が、フイルムパック内に積層されたフイルムが残っている時点で、誤って裏蓋を一旦開け、誤りに気づいてそのまま閉じるという操作を行なう場合がある。例えば、フイルムパック内に積層されたフイルムが５枚残っている時点で上述の操作が行なわれた場合、そのカメラでは、フイルムパックが装填されて裏蓋が閉じられたことから、新規のフイルムパックが装填されたと判定される。ここで、フイルムパックからフイルムが１枚排出されると、そのカメラでは遮光板が排出されたと判定され、実際には残存フイルム枚数は４枚であるにもかかわらず表示部は残存フイルム枚数‘１０’が表示された状態にとどまる。このため、実際に撮影可能な残存フイルム枚数と表示部に表示された残存フイルム枚数とが異なってしまうという問題が発生する。
発明の開示
本発明は、上記事情に鑑み、フイルムパック内に積層されたフイルムが残っている時点でそのフイルムパックが再装填された場合に、例えば残存フイルム枚数を正確に表示する等、その状態に応じた正しい制御を行なうことのできるカメラを提供することを目的とする。
上記目的を達成する本発明のカメラは、インスタント写真用の複数枚のフイルムが枠体内に積層されるとともに、積層されたフイルムを遮光する遮光板を備えたフイルムパックが装填され、内蔵電池からのパワーにより、その遮光板を先ず排出し、以後、撮影操作に応じて、積層されたフイルムのうちの最上層のフイルムを露光し、露光されたフイルムを現像しながら排出するカメラにおいて、
装填されたフイルムパックの遮光板の存在を検出する遮光板検出部と、
上記遮光板検出部による検出結果に基づいて制御を行なう制御部とを備えたことを特徴とする。
本発明のカメラは、装填されたフイルムパックの遮光板の存在を検出する構成のため、新規のフイルムパックが装填された状態と、途中で撮影したフイルムパックについて誤ってフイルムパック交換操作が行なわれた状態とを区別して正しい制御を行なうことができる。
ここで、上記遮光板検出部は、装填されたフイルムパックの遮光板又はフイルムの排出動作時の負荷に基づいて、今回の排出動作により排出されたものが遮光板であったか否かを検出するものであることが好ましい。
遮光板は、十分な厚みを有するプラスチック部材等で形成されており、遮光板の材質の方がフイルムの材質よりも堅くて剛性も大きい。このため、遮光板の排出時における給装モータの負荷電流や内蔵電池の内部インピーダンスによる電圧降下の方が、フイルムの排出時における負荷電流や電圧降下よりも大きい。これを利用し、負荷電流や電圧降下の大きさを比較することにより遮光板であったか否かを検出することができる。この場合、後述する実施形態に示すように、比較的簡単な回路構成で済む。
また、本発明のカメラが、このカメラの状態を表示する表示部を備え、上記制御部が、上記遮光板検出部による検出結果に応じてその表示部への表示内容を制御するものであることも好ましい態様である。
カメラの状態には、フイルム枚数を格納するカウンタ，フイルム感度，レンズ位置，露出モードとしてのストロボ制御モード（ｏｎ／ｏｆｆ／ａｕｔｏ）および露出補正（ｄａｒｋｅｎ／ｎｏｒｍａｌ／ｌｉｇｈｔｅｎ）等の状態があり、上記のように制御すると、新規のフイルムパックが装填された時点におけるカメラの状態と、撮影途中におけるカメラの状態とを区別して表示することができる。
さらに、本発明のカメラは、装填されているフイルムパック内の残存フイルム枚数を表示する表示部を備えるとともに、
上記制御部が、フイルムパック交換操作前のフイルムパック内のフイルム残存枚数を記憶しておく記憶部と、フイルムパック交換操作があった場合に、上記遮光板検出部により、今回排出されたものが遮光板であった旨検出されたか否かに応じて、上記表示部に、それぞれ、遮光板付のフイルムパック内に積層されたフイルム枚数に相当する所定数、あるいは上記記憶部に記憶された残存枚数から１枚を減じた数を表示させる表示制御部とを備えたものであることも好ましい態様である。
ここで、上記「フイルムパック交換操作」には、それまで装填されていたフイルムパックを取り出して新たなフイルムパックを装填する操作以外にも、装填されていたフイルムパックを取り出してその取り出したフイルムパックをそのまま再装填する操作、およびフイルムパックを取り出すための操作（例えば裏蓋を開ける操作）を行ないフイルムパックは取り出さずに再びフイルムパックの装填を完了させる操作（例えば裏蓋を閉じる操作）も含まれる。
このように構成すると、遮光板が排出された場合は、新規のフイルムパック内に積層されたフイルム枚数に相当する所定数が表示部に表示される。またフイルムが排出された場合は、記憶部に記憶された残存枚数から１枚を減じた数が表示部に表示される。このため、フイルムパック内に積層されたフイルムが残っている時点でそのフイルムパックについて交換操作が行なわれた場合であっても、従来のカメラのような、実際に撮影可能な残存フイルム枚数と表示部に表示された残存フイルム枚数とが異なってしまうというようなことはなく、残存フイルム枚数を表示部に正確に表示することができる。
また、このカメラは、内蔵フイルムに関するフイルム情報が記憶されたフイルムパックが装填されるカメラであって、フイルムパックに記憶されたフイルム情報を読み取るセンサを備え、上記制御部が、上記遮光板検出部により遮光板が検出されたことを受けて上記センサにフイルム情報を読み取らせるものであってもよい。
ここで、内蔵フイルムに関するフイルム情報とは、フイルムパックに記憶されたフイルム枚数やフイルム感度をいう。
このように構成すると、上記センサで読み取られたフイルム情報に基づいてカメラの制御を行なうことができる。
さらに、上記制御部は、上記遮光板検出部により遮光板が検出されたことを受けて、このカメラの、少なくとも一部の要素について初期化を行なうものであってもよい。
ここでいう、少なくとも一部の要素は、レンズ位置、露出モードとしてのストロボ制御モード，露出補正のうちのいずれか１つ以上であることが好ましく、遮光板が検出されたことを受けて、このような一部の要素について初期設定すると、操作性が高まる。
以上説明したように、本発明によれば、フイルムパック内に積層されたフイルムが残っている時点でそのフイルムパックが再装填された場合に、例えば残存フイルム枚数を正確に表示する等、その状態に応じた正しい制御を行なうことができる。
【図面の簡単な説明】
図１は、本発明の第１実施形態のカメラの外観を示す正面図である。
図２は、図１に示すカメラの外観を示す斜視図である。
図３は、第１実施形態のカメラの、裏蓋が開けられた状態の裏面図である。
図４は、第１実施形態のカメラの各種の動作シーケンスにおける負荷と、設定された閾値を示す図である。
図５は、第１実施形態のカメラの回路図である。
図６は、本発明の第２実施形態のカメラの回路図である。
図７は、本発明の第３実施形態のカメラの外観を示す正面図である。
図８は、図７に示すカメラの、裏蓋が開けられた状態の裏面図である。
図９は、第３実施形態のカメラの回路図である。
図１０は、フイルムパック全体の概略図である。
図１１は、図１０に示すフイルムパックに備えられたフイルム感度ノッチに基づく信号の組み合わせと、その組み合わせに対応するフイルム感度を示す図である。
図１２は、第３実施形態のカメラにおける制御ルーチンのフローチャートである。
発明を実施するための最良の形態
以下、本発明の実施形態について説明する。
図１は、本発明の第１実施形態のカメラの外観を示す正面図、図２は、図１に示すカメラの外観を示す斜視図である。
このカメラ１０は、インスタントカメラであり、撮影にあたり、前面カバー１１の両端部をつかんで持ち上げることにより、カメラ１０中央部に備えられたレンズ２０が、図１では前方側に、図２では斜め前方側に突出する。
また、カメラ本体部３０の上部３１には、ストロボ光を発光するためのストロボユニット３０９と、ＡＦユニット３１０を構成するオートフォーカス（ＡＦ）用の発光素子が内蔵されたＡＦ投光窓３１１およびその発光素子からの光を受光する受光素子が内蔵されたＡＦ受光窓３１２と、ファインダ３１３とが備えられている。さらに、図１，図２における、レンズ２０の左側には、ＡＥユニット３２０が備えられている。ＡＥユニット３２０は、内蔵された露出調整用のＡＥセンサに光を導くためのＡＥ窓３２１を有する。ＡＥ窓３２１の上部には、そのＡＥ窓３２１に対してフィルタをかけるためのスライドスイッチ３２２が備えられている。また、ストロボユニット３０９の下には、セルフタイマ撮影時に用いられるスライドスイッチ３２３と、セルフタイマ撮影時に光を発する発光素子が内蔵されたセルフ窓３２４も備えられている。
さらに、図１，図２に示す正面図，斜視図の左側には、撮影時に把持されるグリップ部３３を有し、そのグリップ部３３の上部には、シャッタボタン３４が備えられている。
また、図１，図２に示す正面図，斜視図の右側にもグリップ部３５を有し、そのグリップ部３５内部には、このカメラ１０を駆動するための内蔵電池４０が実装されている。また内蔵電池４０の上部には、このカメラ１０全体の制御を行なうための回路基板２００が備えられている。回路基板２００については後述する。さらに、このカメラ１０には、やはり後述する、フイルムパックの遮光板やフイルムを給送するための給送用モータも備えられている。
図３は、第１実施形態のカメラの、裏蓋が開けられた状態の裏面図である。
図３に示すカメラ１０は、裏蓋５０が開けられフイルムパック１００が装填された状態を示している。このカメラ１０の、図３の右上には、フイルムパック１００が装填されたか否かを検出するフイルムパック検出スイッチ６０が備えられている。図３に示すようにフイルムパック１００が装填された状態では、そのフイルムパック１００でフイルムパック検出スイッチ６０が押されてオン状態になっており、これによりフイルムパック１００が装填されたことが検出される。また、フイルムパック検出スイッチ６０の左上には、裏蓋５０が閉められたか否かを検出する裏蓋スイッチ５１が備えられており、裏蓋５０が閉められると、この裏蓋スイッチ５１が押されてオン状態になり、これにより裏蓋５０が閉められたことが検出される。さらに、フイルムパック検出スイッチ６０の右には、装填されているフイルムパック１００内の残存フイルム枚数を表示する表示部６１と、ストロボ発光を行なうためのストロボ充電用スイッチ６２とが備えられている。さらに、ファインダ３１３に隣接して、点滅によりストロボ充電完了を示すランプ窓６３も備えられている。
図４は、第１実施形態のカメラの各種の動作シーケンスにおける負荷と、設定された閾値を示す図である。
遮光板排出シーケンスは、十分な厚みを有するプラスチック部材等で形成された遮光板を排出するものであるため、この図４に示す、遮光板排出シーケンスにおける負荷は、各種の動作シーケンスにおける負荷の中で一番大きい。また、フイルム排出シーケンスは、現像にあたり、フイルムに現像剤をまんべんなく拡散するように、例えばフイルムを複数のローラで押し進めたりするものであるため、各種の動作シーケンスにおける負荷の中では大きい部類に入るものの、遮光板の材質の方がフイルムの材質よりも堅くて剛性も大きいため、フイルム排出シーケンスにおける負荷は、遮光板排出シーケンスにおける負荷よりは小さい。また、ストロボ充電シーケンスは、ストロボ充電を行なうために大きなパワーを必要とする。従って、遮光板排出シーケンスにおける負荷に次いで大きい。以下、シャッタ駆動シーケンス、ＡＦ動作シーケンス、ＡＥ演算動作シーケンスにおける負荷の順となる。また、図４には、遮光板排出シーケンスにおける負荷とフイルム排出シーケンスにおける負荷との間に設定された閾値が示されている。この閾値については、図５を参照して説明する。
図５は、第１実施形態のカメラの回路図である。
図５には、内蔵電池４０に隣接して電源スイッチ２１８が配置されている。この電源スイッチ２１８は、前面カバー１１を図２に示すように持ち上げた時に閉成するスイッチである。
カメラ１０全体の制御を行なうための回路基板２００には、ＭＰＵ２２０が実装されている。このＭＰＵ２２０のバス端子ＢＵＳには記憶部２１０が接続され、ポートＰＡ，ＰＢ，ＰＣ，ＰＤには、表示部６１，ストロボユニット３０９，ＡＦユニット３１０，ＡＥユニット３２０がそれぞれ接続されている。またＭＰＵ２２０のポートＰＥ１，ＰＥ２，ＰＥ３には、フイルムパック検出スイッチ６０，裏蓋スイッチ５１，シャッタボタン３４がそれぞれ接続されている。
また、モータドライブ部２３０には、給送用モータ２１４を駆動するためのトランジスタ２３１と、そのトランジスタ２３１に流れる電流ＩMを検出するためのオペアンプ２３６とが備えられており、ＭＰＵ２２０のポートＰＥ４は、モータドライブ２３０を構成する抵抗２３２を経由してトランジスタ２３１のゲートに接続されている。トランジスタ２３１のエミッタは、グラウンドＧＮＤに接続されている。また、トランジスタ２３１のコレクタは、抵抗２３５を経由してオペアンプ２３６の正相入力および給送用モータ２１４に接続されている。オペアンプ２３６の逆相入力は抵抗２３４を経由してグラウンドＧＮＤに接続されるとともに、抵抗２３３を経由してそのオペアンプ２３６の出力側およびＭＰＵ２２０のＡＤ変換入力端子ＡＤに接続されている。またＭＰＵ２２０のポートＰＥ５には、給送用スイッチ２１５が接続されている。この給送用スイッチ２１５は、給送用モータ２１４が回転して遮光板もしくはフイルムが排出された時点で閉じられる。
記憶部２１０には、フイルムパック１００交換操作前のフイルムパックの残存枚数が記憶される。
表示部６１には、装填されているフイルムパック１００内の残存フイルム枚数が表示される。
ここで、オペアンプ２３６およびＭＰＵ２２０のＡＤ変換入力端子ＡＤを含む部分が、本発明にいう遮光板検出部の一例に相当し、これらオペアンプ２３６およびＭＰＵ２２０のＡＤ変換入力端子ＡＤを含む部分により、装填されたフイルムパックの遮光板の存在が検出される。
さらに、ＭＰＵ２２０には、フイルムパック１００の交換操作があった場合に、今回排出されたものが遮光板であった旨検出されたか否かに応じて、表示部６１に、それぞれ、遮光板付のフイルムパック１００内に積層されたフイルム枚数に相当する所定数、あるいは記憶部２１０に記憶された残存枚数から１枚を減じた数を表示させる表示制御部が備えられている。この表示制御部と記憶部２１０が、本発明にいう制御部の一例に相当する。
このように構成されたカメラ１０では、前面カバー１１が持ち上げられると、内蔵電池４０の電圧ＶBが、電源スイッチ２１８を経由して、コンデンサ２１１と、レギュレータ２１２と、給送用モータ２１４とに印加される。レギュレータ２１２では、入力された電圧ＶBを安定化して電圧ＶCを生成する。生成された電圧ＶCは、コンデンサ２１３とＭＰＵ２２０の電源端子ＶCCに印加される。ここでは、撮影者が、カメラ１０に装填されたフイルムパック１００内に積層されたフイルムが残っている時点で、誤って裏蓋５０を一旦開け、誤りに気づいてそのまま閉じるという動作が行われた場合について説明する。フイルムパック検出スイッチ６０が閉じられているため、ＭＰＵ２２０のポートＰＥ１に‘Ｌ’レベルの信号が入力されている。また裏蓋スイッチ５１も閉じられているため、ＭＰＵ２２０のポートＰＥ２にも‘Ｌ’レベルの信号が入力されている。ＭＰＵ２２０は、ポートＰＥ１およびポートＰＥ２の双方に‘Ｌ’レベルの信号が入力されている状態では、シャッタボタン３４が押されるまで待機する。
フイルムパック１００が正しく装填され裏蓋５０も正しく閉じられている状態でシャッタボタン３４が押される。すると、ＭＰＵ２２０のポートＰＥ３に‘Ｌ’レベルの信号が入力される。この‘Ｌ’レベルの信号を受けて、ＭＰＵ２２０のポートＰＥ４から‘Ｈ’レベルの信号が出力される。この‘Ｈ’レベルの信号は抵抗２３２を経由してトランジスタ２３１に入力され、これによりトランジスタ２３１がオン状態となり、内蔵電池４０→電源スイッチ２１８→給送用モータ２１４→抵抗２３５→トランジスタ２３１→グラウンドＧＮＤの経路で電流ＩMが流れ、給送用モータ２１４が回転してフイルムの排出が開始される。抵抗２３５に電流ＩMが流れるため、抵抗２３５の両端には、抵抗２３５の値と電流ＩMとの積による電圧（電圧降下）が発生する。この電圧がオペアンプ２３６に入力され，所定のゲインで増幅されてＭＰＵ２２０のＡＤ変換入力端子ＡＤに入力される。ＭＰＵ２２０では、入力された電圧をＡＤ変換してディジタル値ＤFを得る。このディジタル値ＤFは、図４に示すフイルム排出シーケンスにおける負荷の大きさに相当する値である。また、ＭＰＵ２２０は、図４に示す閾値に相当するディジタル値ＤTHを有する。ＭＰＵ２２０では、これらディジタル値ＤFとディジタル値ＤTHを比較する。ディジタル値ＤFは、ディジタル値ＤTHよりも小さいため、ＭＰＵ２２０の表示制御部により、フイルムパック内に収納されている残存フイルム枚数から１だけ減算した枚数が表示部６１に表示される。また、このフイルム枚数が記憶部２１０に記憶される。
一方、新規なフイルムパック１００が装填されかつ裏蓋５０が閉じられた状態でシャッタボタン３４が押された場合は、前述したと同様の経路で電流ＩMが流れ、給送用モータ２１４が回転して遮光板の排出が開始され、抵抗２３５の両端に電圧が発生する。この電圧がオペアンプ２３６を経由してＭＰＵ２２０のＡＤ変換入力端子ＡＤに入力され、ＭＰＵ２２０でＡＤ変換されてディジタル値ＤSが生成される。さらにＭＰＵ２２０では、このディジタル値ＤSとディジタル値ＤTHを比較する。ディジタル値ＤSは、遮光板排出シーケンスにおける負荷に相当する値であり、一方ディジタル値ＤTHは、図４に示す閾値に相当する値であるため、ディジタル値ＤSは、ディジタル値ＤTHよりも大きく、従って今回排出されたものが遮光板であったと検出され、ＭＰＵ２２０の表示制御部により、新規のフイルムパック内に収納されているフイルムの枚数が表示部６１に表示される。また、このフイルム枚数が記憶部２１０に記憶される。
第１実施形態のカメラ１０では、このように、新規なフイルムパック１００が装填されかつ裏蓋５０が閉じられた場合は、新規のフイルムパック内に収納されているフイルムの枚数が表示部６１に表示される。また、フイルムパック１００内に積層されたフイルムが残っている時点で裏蓋５０が一旦開けられて閉じられた場合は、残存フイルム枚数が表示部６１に表示される。従って、従来のカメラのように、実際に撮影可能な残存フイルム枚数と表示部に表示された残存フイルム枚数とが異なってしまうというようなことはなく、正しい表示制御を行なうことができる。
尚、第１実施形態では、装填されたフイルムパックの遮光板を検出するにあたり、給送用モータ２１４に流れる電流ＩMをオペアンプ２３６で検出しＭＰＵ２２０でＡＤ変換した例で説明したが、これに限られるものではなく、給送用モータ２１４に流れる電流ＩMをコンパレータで‘Ｈ’レベルもしくは‘Ｌ’レベルの信号に変換しＭＰＵ２２０のポートに入力してもよい。
図６は、本発明の第２実施形態のカメラの回路図である。
尚、図５に示す構成要素と同じ構成要素には同一の符号を付し重複説明は省く。
前述した図５に示す回路構成は、給送用モータ２１４に流れる電流に基づいて、装填されたフイルムパックの遮光板を検出し、その検出結果に基づいて表示等の制御を行なったが、この図６に示す回路構成は、内蔵電池４０の端子間電圧の下降量に基づいて、装填されたフイルムパックの遮光板を検出し、その検出結果に基づいて表示等の制御を行なうものである。
内蔵電池４０は内部インピーダンスＲｚを有するため、内蔵電池４０の端子間電圧ＶBは大きな負荷を駆動するほど低下する。従って、内蔵電池４０の端子間電圧ＶBは、遮光板排出シーケンスにおける負荷を駆動する方がフイルム排出シーケンスにおける負荷を駆動するよりも低下する。本実施形態は、この点に着目してなされたものであり、内蔵電池４０の電圧ＶBが印加されるコンデンサ２１１の両端に抵抗２４１と抵抗２４２が直列接続され、直列接続された接続点がＭＰＵ２２０のＡＤ変換入力端子ＡＤに接続されてなる回路構成である。このような回路構成を採用して、内蔵電池４０の端子間電圧ＶBの下降量をＭＰＵ２２０のＡＤ変換部で測定することにより、今回排出されたものが遮光板であったか否かに応じて、表示部６１に、それぞれ、遮光板付のフイルムパック内に積層されたフイルム枚数に相当する所定数、あるいは記憶部２１０に記憶された残存枚数から１枚を減じた数を表示させるように制御してもよい。
図７は、本発明の第３実施形態のカメラの外観を示す正面図、図８は、図７に示すカメラの、裏蓋が開けられた状態の裏面図である。
尚、前述した図１に示すカメラ１０の構成要素と同じ構成要素には同一の符号を付して説明する。
このカメラ４１０は、図１に示すカメラ１０と比較し、ＡＥ窓３２１に対してフィルタをかけるためのスライドスイッチ３２２、およびセルフタイマ撮影時に用いられるスライドスイッチ３２３が削除されている。また、図８に示すように、後述するフイルムパック１１０が装填されている。さらにフイルムパック検出スイッチ６０の右側に表示部７０が備えられている。また、表示部７０の下部には、セルフタイマスイッチ８１と、露出補正スイッチ８２と、ストロボ制御スイッチ８３とが備えられている。
セルフタイマスイッチ８１は、セルフタイマ撮影用の時間を設定するためのスイッチであり、一度押すとセルフタイマ用の時間が設定されるとともに時間設定されたことを示す図柄（図示せず）が表示部７０に表示され、再度押すとその設定された時間が解除されるとともに図柄の表示も消去される。
露出補正スイッチ８２は、露出補正の度合いを指示するためのスイッチであり、押す毎に、表示部７０に表示されたカーソル７１が、その表示部７０の左側に印刷された文字Ｄ（ｄａｒｋｅｎ（濃））→Ｎ（ｎｏｒｍａｌ）→Ｌ（ｌｉｇｈｔｅｎ（淡））の位置に移動する。
ストロボ制御スイッチ８３は、ストロボ光の発光を制御するためのスイッチであり、押す度に、表示部７０に表示されたカーソル７２が、その表示部７０の右側に印刷された文字Ｏ（ｏｎ）→Ｆ（ｏｆｆ）→Ａ（ａｕｔｏ）の位置に移動する。
さらに、表示部７０には、上記図柄，カーソル７１，７２の他に、フイルム枚数およびフイルム感度も表示される。
図９は、第３実施形態のカメラの回路図である。
図９には、内蔵電池４０に接続されたＭＰＵ２２１が示されている。このＭＰＵ２２１のバス端子ＢＵＳには記憶部２１０が接続されている。この記憶部２１０には、フイルム枚数が格納される表示処理カウンタ（図示せず）が備えられている。また、ＭＰＵ２２１のポートＰＡ１，ＰＡ２，ＰＡ３には、セルフタイマスイッチ８１，露出補正スイッチ８２，ストロボ制御スイッチ８３が接続され、ＭＰＵ２２１のポートＰＡ４〜ＰＡ７には表示部７０が接続されている。さらに、ＭＰＵ２２１のポートＰＢ，ＰＣ，ＰＤには、ストロボユニット３０９，ＡＦユニット３１０，ＡＥユニット３２０がそれぞれ接続されている。また、ＭＰＵ２２１のポートＰＥ１，ＰＥ２，ＰＥ３，ＰＥ４，ＰＥ５，ＰＥ６には、裏蓋スイッチ５１，電源スイッチ２１８，シャッタボタン３４，第１のノッチスイッチ１０１，第２のノッチスイッチ１０２，フイルムパック検出スイッチ６０がそれぞれ接続されている。これら第１，第２のノッチスイッチ１０１，１０２が本発明にいう、フイルムパックに記憶されたフイルム情報を読み取るセンサの一例に相当する。
ＭＰＵ２２１は、前面カバー１１が閉じられている状態では、スタンバイモードにあり、前面カバー１１を持ち上げて電源スイッチ２１８が閉成されると、ＭＰＵ２２１のポートＰＥ２に‘Ｌ’レベルの信号が入力されて通常の動作モードに移行する。前面カバー１１が閉じられると、ＭＰＵ２２１は再びスタンバイモードに移行する。また、このＭＰＵ２２１は、前面カバー１１が閉じられている状態であっても、裏蓋５０を一旦開けてフイルムパック１１０を装填して裏蓋５０を閉じると、フイルムパック検出スイッチ６０と裏蓋スイッチ５１との双方が閉成されるため、ＭＰＵ２２１のポートＰＥ６，ＰＥ１に‘Ｌ’レベルの信号が入力されて通常の動作モードに移行し、後述するようにして遮光板の排出もしくはフイルムの排出が行なわれ、その後スタンバイモードに再び移行する。
モードドライバ２５０には、給送用モータ２１４，鏡胴駆動用モータ２１６を駆動するトランジスタ（図示せず）が備えられている。ＭＰＵ２２１のポートＰＦ２，ＰＦ４には、これらのトランジスタが接続されている。また、ＭＰＵ２２１のポートＰＦ１，ＰＦ３には、給送用スイッチ２１５，鏡胴スイッチ２１７が接続されている。給送用スイッチ２１５は、給送モータ２１４が回転して遮光板もしくはフイルムが排出された時点で閉成されるスイッチである。また、鏡胴スイッチ２１７は、鏡胴駆動用モータ２１６が回転してレンズが所定の位置まで繰り出した時点で閉成される遠近切替用のスイッチである。さらに、ＭＰＵ２２１のＡＤ変換入力端子ＡＤには、給送用モータ２１４に流れる電流を検出するためのオペアンプ（図示せず）が接続されている。このように構成されたカメラ４１０に、フイルムパック１１０が装填される。
図１０は、フイルムパック全体の概略図、図１１は、図１０に示すフイルムパックに備えられたフイルム感度ノッチに基づく信号の組み合わせと、その組み合わせに対応するフイルム感度を示す図である。
図１０に示すフイルムパック１１０は、撮影画面としての開口（アパーチャ）１１１ａを有する枠体１１１に、インスタント写真用のフイルムが複数枚積層され、その枠体１１１の開口１１１ａが遮光板１１２で塞がれた構造を有する。遮光板１１２および図示しないフイルムは、図１０に示す矢印Ａ方向に排出される。このフイルムパック１１０に、ＩＳＯ４００，８００，１６００以外のフイルム感度を持つフイルムが内蔵される場合は、枠体１１１の側面に第１，第２のフイルム感度ノッチ１１３，１１４の双方が形成される。また、ＩＳＯ４００のフイルム感度を持つフイルムが内蔵される場合は、枠体１１１の側面に第１のフイルム感度ノッチ１１３のみが形成される。さらに、ＩＳＯ８００のフイルム感度を持つフイルムが内蔵される場合は、枠体１１１の側面に第２のフイルム感度ノッチ１１４のみが形成される。また、ＩＳＯ１６００のフイルム感度を持つフイルムが内蔵される場合は、枠体１１１の側面には第１のフイルム感度ノッチ１１３も第２のフイルム感度ノッチ１１４も形成されることはない。
また、枠体１１１の側面の、第１，第２のフイルム感度ノッチ１１３，１１４が形成される部分に隣接して、前述した第１，第２のノッチスイッチ１０１，１０２が配備されている。このように、枠体１１１の同一側面に第１，第２のノッチスイッチ１０１，１０２が配備されているため、それら第１，第２のノッチスイッチ１０１，１０２の配置および配線の引き回しが簡素化される。
ここで、フイルムパック１１０に、ＩＳＯ４００，８００，１６００以外のフイルム感度を持つフイルムが内蔵される場合は、フイルムパック１１０の側面には第１，第２のフイルム感度ノッチ１１３，１１４の双方が形成されるため、第１，第２のノッチスイッチ１０１，１０２はともにオン状態になり、図１１に示すように、それら第１，第２のノッチスイッチ１０１，１０２から‘Ｌ’レベルの信号が出力される。また、ＩＳＯ４００のフイルム感度を持つフイルムが内蔵される場合は、フイルムパック１１０の側面には第１のフイルム感度ノッチ１１３のみが形成されるため、第１，第２のノッチスイッチ１０１，１０２はオン状態，オフ状態になり、それら第１，第２のノッチスイッチ１０１，１０２から‘Ｌ’レベル，‘Ｈ’レベルの信号が出力される。さらに、ＩＳＯ８００のフイルム感度を持つフイルムが内蔵される場合は、フイルムパック１１０の側面には第２のフイルム感度ノッチ１１４のみが形成されるため、第１，第２のノッチスイッチ１０１，１０２はオフ状態，オン状態になり、それら第１，第２のノッチスイッチ１０１，１０２から‘Ｈ’レベル，‘Ｌ’レベルの信号が出力される。また、ＩＳＯ１６００のフイルム感度を持つフイルムが内蔵される場合は、フイルムパック１１０の側面には第１のフイルム感度ノッチ１１３も第２のフイルム感度ノッチ１１４も形成されず、このため第１，第２のノッチスイッチ１０１，１０２はともにオフ状態になり、それら第１，第２のノッチスイッチ１０１，１０２から‘Ｈ’レベルの信号が出力される。
次に、第３実施形態のカメラ４１０の動作について、図９および図１２を参照して説明する。
図１２は、第３実施形態のカメラにおける制御ルーチンのフローチャートである。
先ず、前面カバー１１（図７参照）が閉じられている状態で新規のフイルムパック１１０が装填された場合について説明する。
ＭＰＵ２２１は、前面カバー１１が閉じられたスタンバイモード状態であっても、裏蓋５０を一旦開けて新規のフイルムパック１１０を装填して裏蓋５０を閉じると、フイルムパック検出スイッチ６０と裏蓋スイッチ５１との双方が閉成され、これによりＭＰＵ２２１のポートＰＥ６，ＰＥ１に‘Ｌ’レベルの信号が入力されて、スタンバイモードから通常の動作モードに移行する。すると、図１２に示す制御ルーチンのうちの裏蓋閉処理のルーチンを実行する。
先ず、ステップＳ４において、露光処理およびシャッタ制御を行なう。ここでの露光処理では、ストロボ制御モードをｏｆｆ側に設定し、さらにダミー値でシャッタを制御してステップＳ５に進む。ステップＳ５では、フイルム排出処理を行なう。このフイルム排出処理では、図９に示すＭＰＵ２２１のポートＰＦ２から‘Ｈ’レベルの信号がモータドライバ２５０に向けて出力され、これにより給送用モータ２１４が回転する。ここでは、新規のフイルムパック１１０が装填されているため、遮光板の排出が開始され、図５を参照して説明したと同様にして、オペアンプ（図示せず）を経由してＭＰＵ２２１のＡＤ変換入力端子ＡＤに、遮光板の負荷に応じたアナログ信号が入力され、ＭＰＵ２２１でＡＤ変換されて、今回排出されたものが遮光板であったと検出される。
次に、ステップＳ６において、遮光板か否かが判定される。ここでは、遮光板であるため、ステップＳ８に進む。ステップＳ８では、カメラの初期化処理を行なう。ここでは、近景撮影の多いインスタントカメラに見合ったレンズ位置（近景側）に設定する。また、ストロボ制御モードをａｕｔｏ側に設定し、露出補正をｎｏｒｍａｌ側に設定することにより、露出モードのクリアを行なう。
次に、ステップＳ９において、ＭＰＵ２２１は、ポートＰＥ４，ＰＥ５の信号を読み込んでフイルム感度を記憶部２１０に記憶する。またこのカメラ４１０は、撮影可能なフイルム枚数を取り込むことができるシステムのカメラであり、図示しない手段で撮影可能なフイルム枚数を、記憶部２１０の表示処理カウンタに記憶する。このようにして、フイルム感度およびフイルム枚数からなるフイルム情報をカメラ４１０に認識させる。次に、ステップＳ１０に進み、表示部７０に、新規なフイルムパック１１０内に積層されたフイルム枚数およびフイルム感度を表示する。また、初期設定された露出補正（ｎｏｒｍａｌ），ストロボ制御モード（ａｕｔｏ）の状態を操作者に知らせるために、表示部７０の各カーソル７１，７２（図８参照）を各文字Ｎ，Ａに移動して、このルーチンを終了する。その後、ＭＰＵ２２１は、スタンバイモードに移行する。このように、カメラ４１０に新規のフイルムパック１１０が装填されて裏蓋５０が閉じられると、遮光板の存在が検出され、その検出結果に基づいてカメラ４１０の初期設定が行われる。従って、操作者の操作が簡素化されて操作性が高まる。また、裏蓋５０が閉じられた時点で遮光板が排出されるため、操作者は直ぐに写真撮影を行なうことができる。従って、操作者がシャッタチャンスを逃すということが防止される。
次に、写真撮影を行なうために、前面カバー１１が持ち上げられる。前面カバー１１が持ち上げられると、電源スイッチ２１８が閉成する。すると、ＭＰＵ２２１のポートＰＥ２に‘Ｌ’レベルの信号が入力され、この‘Ｌ’レベルの信号を受けてＭＰＵ２２１がスタンバイモードから通常の動作モードに移行する。ここで、シャッタボタン３４が押されると、ＭＰＵ２２１のポートＰＥ３に‘Ｌ’レベルの信号が入力される。フイルムパック検出スイッチ６０が閉じられているため、ＭＰＵ２２１のポートＰＥ６に‘Ｌ’レベルの信号が入力されている。また、裏蓋スイッチ５１も閉じられているため、ＭＰＵ２２１のポートＰＥ１にも‘Ｌ’レベルの信号が入力されている。ＭＰＵ２２１は、これらの‘Ｌ’レベルの信号を受けて、図１２に示す制御ルーチンのうちのレリーズ処理のルーチンを実行する。
先ず、ステップＳ１において、測光手段により被写体輝度を測定し、さらに前述した裏蓋閉処理ルーチンで初期設定された状態におけるフイルム感度，露出補正値，ストロボ制御モードの設定状態に基づいて、シャッタ制御演算を行なうとともに、ストロボ光の発光の有無の決定を行なう。
次に、ステップＳ２において、測距手段により被写体距離を算出し、レンズ位置制御のための演算を行ない、ステップＳ３に進む。
ステップＳ３では、ステップＳ２における演算結果に従い、撮影レンズを所定の位置に移動する。詳細には、図９に示すＭＰＵ２２１のポートＰＦ４から‘Ｈ’レベルの信号がモードドライバ２５０に向けて出力され、これにより鏡胴駆動用モータ２１６が演算結果に従い回転して、撮影レンズが所定の位置に移動される。
ステップＳ４では、ステップＳ１における測光結果に基づいてシャッタ制御を行ない、またストロボ光の発光を行なう場合はその発光制御も行なう。次に、ステップＳ５に進む。ステップＳ５では、フイルム排出処理を行なう。このフイルム排出処理では、図９に示すＭＰＵ２２１のポートＰＦ２から‘Ｈ’レベルの信号がモータドライバ２５０に向けて出力され、これにより給送用モータ２１４が回転してフイルムの排出が開始され、図５を参照して説明したと同様にして、オペアンプ（図示せず）を経由してＭＰＵ２２１のＡＤ変換入力端子ＡＤに、フイルムの負荷に応じたアナログ信号が入力され、ＭＰＵ２２１でＡＤ変換されて、今回排出されたものがフイルムであったと検出される。
次に、ステップＳ６において、遮光板か否かが判定される。ここでは、フイルムであるため、ステップＳ７に進む。ステップＳ７では、表示処理カウンタから‘１’だけ減算して、このルーチンを終了する。このようにして、写真撮影が行なわれる。
ここで、フイルムパック１１０内に積層されたフイルムが残っている時点で裏蓋５０が一旦開けられて閉じられる場合がある。裏蓋５０が閉じられると、前述した裏蓋閉処理のルーチンが実行される。この場合は、フイルムパックに積層されている最上層のフイルムは感光しているため、ステップＳ５においてフイルムを排出し、さらにステップＳ６においてフイルムであると判定されてステップＳ７に進み表示処理カウンタの値を‘１’だけ減算して、このルーチンを終了する。このようにして、感光されたフイルムを排出する。
尚、本実施形態では、上述したように、シャッタチャンスを逃さないという観点から、裏蓋が閉じられた時点で遮光板が排出されるように制御される。このため、例えば、所望するフイルム感度を持つフイルムパックとは異なるフイルム感度を持つフイルムパックを装填し、写真撮影を行なう前に誤りに気づいて裏蓋を開閉して所望するフイルム感度を持つフイルムパックに交換したいというような場合であっても、フイルムが感光してしまうので、実用上そのフイルムを使い切るまでは裏蓋の開閉は出来ないこととなる。そこで、裏蓋が閉じられた時点では遮光板の排出が行なわれず、シャッタボタンが押されて実行されるレリーズ処理ルーチンで遮光板の排出が行なわれるように制御してもよい。このように制御すると、新規のフイルムパックが装填された時点では遮光板が排出されないため、裏蓋の開閉を自由に行なうことができる。
【図１】
0003654838.tif 000002
【図２】
0003654838.tif 000003
【図３】
0003654838.tif 000004
【図４】
0003654838.tif 000005
【図５】
0003654838.tif 000006
【図６】
0003654838.tif 000007
【図７】
0003654838.tif 000008
【図８】
0003654838.tif 000009
【図９】
0003654838.tif 000010
【図１０】
0003654838.tif 000011
【図１１】
0003654838.tif 000012
【図１２】
0003654838.tif 000013